(57)【要約】【課題】  商用電源が遮断された場合に対応する蓄電池を有する照明器具において、蓄電池による点灯時の明るさを高めることができる照明器具を提供する。【解決手段】商用電源が供給されて点灯される第１の光源２ａに対向して配置される第１の反射体３ａと、商用電源が供給されないときには蓄電池５により電源を供給されて点灯される第２の光源に対向して配置され、第１の反射体３ａより大なる光学性能を有している第２の反射体３ｂを具備した構成とする。【選択図】        図１
2005327618.tif 000002
【特許請求の範囲】
【請求項１】
器具本体と；
器具本体に収納され、商用電源が供給されて点灯される第１の光源および第１の光源に対向して配置される第１の反射体と；
器具本体に収納され商用電源により充電される蓄電池、商用電源が供給されないときには蓄電池により電源を供給されて点灯される第２の光源および第２の光源に対向して配置され、第１の反射体より大なる光学性能を有している第２の反射体；を具備したことを特徴とする照明器具。
【請求項２】
前記第２の反射体を第１の反射体より大なる反射面積を有するようにしたことを特徴とする請求項１に記載の照明器具。
【請求項３】
前記第２の反射体を第１の反射体より大なる反射率を有するようにしたことを特徴とする請求項１または２に記載の照明器具。
【発明の詳細な説明】
【技術分野】
【０００１】
本発明は、トンネル、道路等に使用され、停電時等の商用電源が遮断された場合に対応する蓄電池を有する照明器具に関する。
【背景技術】
【０００２】
従来、例えばトンネル用の照明器具は、下記特許文献１に示されるように、本体と蓋体よりなる密閉可能な矩形箱状の器具本体を有し、器具本体内に直管形の高圧ナトリウムランプや蛍光灯などのランプ及びランプの後面に配置して光を所望の方向に反射させる反射鏡を本体の長手方向に配置し、さらにランプを点灯する安定器等を内蔵して構成している。
【０００３】
上記のように構成された照明器具は、トンネルの天井面または側壁面の上方に、道路の車両進行方向に沿って等間隔に複数台設置され、トンネル内、主として道路の路面を照明するようになっている。
【０００４】
また、この種の照明器具においては、車の安全走行のために停電時等、商用電源が遮断された場合にも所定の照明を行う必要があり、一般的には非常用電源装置や無停電装置を設置して対応することが考えられるが、特にトンネルの場合、この種の非常用電源装置等が設置されていない状態が多く、個々の照明器具に蓄電池を搭載し、一定時間点灯させるように構成している（例えば、特許文献２）。
【特許文献１】特開平１０−３０８１０９号公報
【特許文献２】特開２００２−８４１７号公報
【発明の開示】
【発明が解決しようとする課題】
【０００５】
しかしながら、この種照明器具はコスト面やトンネル内の高所等における設置工事を容易にすることなどの関係から、より小型で軽量な器具が要求され、器具内に収納される各種構成部品の設置スペースが限られたものとなり易く、非常用の蓄電池や点灯装置を設置する場所が狭く、設置数に制限が生じる。
【０００６】
１灯用の器具の場合は１個の蓄電池や点灯装置を設置すればよく、設置場所の問題も生じず、また停電時等に通常時と同様に１００％の明るさで電池点灯することができて問題は生じ難いが、多灯、例えば、２灯用の器具の場合は、２灯のランプに対応して、それぞれに蓄電池と点灯装置を設置するスペースがなく、通常は２灯のうち１灯にのみ対応した1個の蓄電池と点灯装置しか搭載できない。
【０００７】
一方、特別な特注品の異形配光を要求されるものでない限りは、器具１台に２灯の同一仕様のランプが設置され、それぞれに同一形状、同一反射性能を有する反射鏡が用いられている。
【０００８】
上記のような状況から、停電時等には２灯のうちの１灯のみが点灯され、明るさは通常時における１／２になってしまう問題が生じ、この種の非常灯付の多灯用照明器具においては、停電時等、商用電源が遮断された場合における明るさを如何に高めるかが重要な課題となっている。
【０００９】
本発明は、上述した従来の問題、課題に鑑みてなされたもので、複数の光源および反射体を有し、蓄電池により点灯される光源の反射体を、商用電源が供給されて点灯される光源の反射体より大なる光学性能を有するように構成し、蓄電池による点灯時の明るさを高めることができる照明器具を提供することを目的とする。
【課題を解決するための手段】
【００１０】
請求項１に記載の照明器具の発明は、器具本体と；器具本体に収納され、商用電源が供給されて点灯される第１の光源および第１の光源に対向して配置される第１の反射体と；器具本体に収納され商用電源により充電される蓄電池、商用電源が供給されないときには蓄電池により電源を供給されて点灯される第２の光源および第２の光源に対向して配置され、第１の反射体より大なる光学性能を有している第２の反射体；を具備したことを特徴とする。
【００１１】
請求項１に記載の発明によれば、商用電源が供給されないときには蓄電池により電源を供給されて点灯される第２の光源に対向して配置される第２の反射体を、商用電源が供給されて点灯される第１の光源に対向して配置される第１の反射体より大なる光学性能を有するように構成し、蓄電池による点灯時の明るさを高めることが可能となる。
【００１２】
本発明および以下の各発明において、特に指定しない限り、用語の定義および技術的な意義は次による。
【００１３】
第１および第２の光源は、蛍光ランプ、メタルハライドランプおよび高圧ナトリウムなどの高圧放電ランプ、無電極放電ランプのような放電ランプおよび白熱電球、発光ダイオード（ＬＥＤ）などの光源を許容し、蓄電池はニッケルカドニウム（Ｎｉ―Ｃｄ）蓄電池、リチウムイオン電池、鉛蓄電池または積層コンデンサ等を許容する。
【００１４】
また、第１および第２の光源が、蛍光ランプなどの放電ランプであった場合、光源と商用電源または蓄電池の間に安定器が挿入されることを許容する。さらに、商用電源が遮断された場合であっても第２の光源の点灯を維持させるように商用電源の遮断を検知した際に第２の光源に供給する電力を商用電源から蓄電池に切替える機構を備えることが望ましい。
【００１５】
また、第１および第２の光源を複数有することも許容する。
【００１６】
「大なる光学性能」は、反射体の開口部の寸法を大きくしたり、反射体の反射面の形状、大きさ、深さ等を適宜変更して反射面積を大きくしたり、若しくは反射体の材質、反射面の光沢度などを高めたり、反射面の曲率を大きくしたりして反射率を大きくしたり、さらにはこれらの各要素を組み合わせる等の手段を講じて、反射体の光学性能を大きくするようにしてもよく、その手段は上記に例示したものには限定されない。
【００１７】
請求項２に記載の発明は、請求項１に記載の照明器具において、  前記第２の反射体を第１の反射体より大なる反射面積を有するようにしたことを特徴とする。
【００１８】
請求項２に記載の発明によれば、商用電源が供給されないときには蓄電池により電源を供給されて点灯される第２の光源に対向して配置される第２の反射体を、商用電源が供給されて点灯される第１の光源に対向して配置される第１の反射体より大なる反射面積有するように構成し、蓄電池による点灯時の明るさを高めることが可能となる。
【００１９】
請求項３に記載の発明は、請求項１または２に記載の照明器具において、前記第２の反射体を第１の反射体より大なる反射率を有するようにしたことを特徴とする。
【００２０】
請求項３に記載の発明によれば、商用電源が供給されないときには蓄電池により電源を供給されて点灯される第２の光源に対向して配置される第２の反射体を、商用電源が供給されて点灯される第１の光源に対向して配置される第１の反射体より大なる反射率を有するように構成し、蓄電池による点灯時の明るさを高めることが可能となる。
【発明の効果】
【００２１】
請求項１の発明によれば、商用電源が供給されないときには蓄電池により電源を供給されて点灯される第２の光源に対向して配置される第２の反射体を、商用電源が供給されて点灯される第１の光源に対向して配置される第１の反射体より大なる光学性能を有するように構成し、蓄電池による点灯時の明るさを高めることが可能な照明器具を提供することができる。
【００２２】
請求項２の発明によれば、商用電源が供給されないときには蓄電池により電源を供給されて点灯される第２の光源に対向して配置される第２の反射体を、商用電源が供給されて点灯される第１の光源に対向して配置される第１の反射体より大なる反射面積有するように構成したので、比較的簡易な構成で蓄電池による点灯時の明るさを高めることが可能な照明器具を提供することができる。
【００２３】
請求項３の発明によれば、商用電源が供給されないときには蓄電池により電源を供給されて点灯される第２の光源に対向して配置される第２の反射体を、商用電源が供給されて点灯される第１の光源に対向して配置される第１の反射体より大なる反射率を有するように構成したので、比較的簡易な構成で蓄電池による点灯時の明るさを高めることが可能な照明器具を提供することができる。
【発明を実施するための最良の形態】
【００２４】
以下、本発明に係る照明器具の一実施形態について説明する。
【実施例１】
【００２５】
図１〜図４は、本発明の第一の実施形態であるトンネル用照明器具を示し、図１は一部を切り欠いて示す正面図、図２は図１のＡ―Ａ線に沿う縦断面図、図３は反射体の変形例を一部を切除して示す斜視図、図４は電気回路を概略的に示す説明図である。
【００２６】
照明器具は、密閉形で矩形状の箱体より構成された器具本体１、器具本体に収納され、第１、第２の光源を構成する２灯の第１のランプ２ａ、第２のランプ２ｂ、各ランプに対向して設けられた第１の反射体３ａ、第２の反射体３ｂ、各ランプに対応して設けられた第１、第２の点灯装置を構成する第１の安定器４ａ、第２の安定器４ｂ、および非常用電源である蓄電池５および点灯ユニット６等で非常灯付のトンネル用照明器具として構成される。
【００２７】
器具本体１は、シャーシ１ａと蓋体１ｂとで構成され、例えばＪＩＳ  Ｃ８１４０で規定する防噴流用器具本体等の密閉形に形成されており、如何なる方向からの水の直接噴流を受けても有害な影響が出ないようになっている。
【００２８】
蓋体１ｂは、２個のヒンジ１ｃによりシャーシ１ａに対し開閉可能に取付けられ、ヒンジの反対側に位置して設けられた２個のラッチ１ｄによって閉塞され密閉された状態でシャーシ１ａに装着される。
【００２９】
さらに、蓋体１ｂの正面に大きく開放して形成された投光開口には、透明な強化ガラスまたは透光性を有するプラスチック等で形成された投光カバー１ｅが、シリコーン接着剤等のパッキングを介して水密かつ気密に取付けられている。
【００３０】
シャーシ１ａの裏面には、４個の取付脚１ｆが設けられ、取付脚のネジ孔１ｆ１を使用してトンネルの内壁などに設置されたステー等の取付装置にネジ止めによって固定される。１ｇは防水コネクターで、器具本体１の内部へ商用電源からの電源線およびアース線を含めて配線をしながら気密を保つ構成を有している。
【００３１】
なお、器具本体１はステンレス等の金属板をプレス加工して構成され、その寸法は、横幅寸法ａが、約７５０ｍｍ、縦幅寸法ｂが約４２５ｍｍ、高さ寸法ｈが約１５０ｍｍに構成され、特に横幅寸法ａが９００ｍｍより短い寸法で構成することが好ましい。
【００３２】
２灯の第１のランプ２ａ、第２のランプ２ｂは、同一仕様の屈曲形の蛍光ランプで構成され、このランプはガラス製の放電容器、蛍光体層、一対の電極、片口金等により構成されている。放電容器は、ソーダライムガラス、鉛ガラス等の軟質ガラスや硬質ガラス、石英ガラス等の、例えば１本のガラス製円管を一平面でＵ字状に折曲して１本のＵ字状放電路を形成しており、一対の管状部２ｃ、２ｃおよび連結部２ｄを有し、１つの連続放電路の両端をフレアステムによって封止して軸方向一端部に片口金２ｅを形成している。したがって、これら管状部２ｃ、２ｃと連結部２ｄは一平面上になるように構成される。
【００３３】
上記のように構成されたＵ字状の第１のランプ２ａ、第２のランプ２ｂは、その管状部２ｃ、２ｃがシャーシ１ａの長手方向に沿うように、各２灯のランプが平行して配置され、各ランプの片口金２ｅがシャーシ１ａの一方（図１中左方）に設けられたランプソケット２ｆに装着され、連結部２ｄ側がホルダー２ｇにより図１中右方に位置するように支持されている。
【００３４】
また、第１、第２のランプ２ａ、２ｂのうち一方、本実施形態では図１中下方の第２のランプ２ｂは、後述する蓄電池５で点灯される非常用のランプを兼用している。
【００３５】
一対の第１の反射体３ａ、第２の反射体３ｂは、それぞれ開口部３ａｃ、３ｂｃを有して開口長手方向横断面が凹弧面をなす内面を細長い反射面３ａｄ、３ｂｄとして構成したもので、その長手方向がシャーシ１ａ内に配置された第１のランプ２ａ、第２のランプ２ｂの背面に対向するように位置させて取付けられ、各ランプ背面からの光を反射させて、蓋体１ｂの透光性カバー１ｅから所望の方向に向けて光を放射するようにしている。
【００３６】
一対の第１の反射体３ａ、第２の反射体３ｂのうち、上記非常用のランプを兼用する第２のランプ２ｂに対向する第２の反射体３ｂは、その開口部３ｂｃの開口面積を他方の第１の反射体３ａの開口部３ａｃの面積に比し大となし、第２の反射体３ｂの反射面３ｂｄの面積を第１の反射体３ａの反射面３ａｄの面積に比し大となるように構成して、第２の反射体３ｂで反射される光線の量が多くなるようにし、第２の反射体３ｂの光学性能が第１の反射体３ａの光学性能に比して大となるように構成している。
【００３７】
本実施形態では、第２の反射体３ｂの縦幅寸法ｄを、第１の反射体３ａの縦幅寸法ｄ′より大となし、第２の反射体３ｂの反射面３ｂｄの面積を第１の反射体３ａの反射面３ａｄの面積に比して、約１．１〜２倍の面積に構成している。なお、各第１、第２の反射体３ａ、３ｂの横幅寸法ｅ及び高さ寸法ｆは略同一の寸法に構成してある。
【００３８】
なお、図３に示すように、開口部３ｂｃを含めた第２の反射体３ｂの外形寸法は他の第１の反射体３ａと同様に構成し、第２の反射体３ｂの反射面３ｂｄに多数の半球状の凸部（若しくは凹部）３ｂｅをボス加工して反射面３ｂｄの反射面積を大きくしてもよい。
【００３９】
各第１、第２の反射体３ａ、３ｂは、例えばステンレス等の金属板で構成され、反射面３ａｄ、３ｂｄは鏡面塗装、白色光沢塗装、反射シートなどで鏡面または梨地等に仕上げており、器具の設置場所などに応じて所望の配光が得られるような性能、形状をなし、各第１、第２のランプ２ａ、２ｂ全体がそれぞれの反射面３ａｄ、３ｂｄ内に収納されるように配設されている。
【００４０】
第１、第２の点灯装置を構成する第１の安定器４ａ、第２の安定器４ｂは、同一仕様をなし、インバータ等の高周波点灯装置を有して構成され、各第１、第２のランプ２ａ、２ｂにそれぞれ対応して２個用意され、シャーシ１ａ内の各第１、第２の反射体３ａ、３ｂの背面に収納設置されている。すなわち、第１のランプ２ａ用の第１の安定器４ａが第１の反射体３ａの背面上方部に位置し、第２のランプ２ｂ用の第２の安定器４ｂが第１の反射体３ａと第２の反射体３ｂとの間の背面略中央部に位置して取付られている。
【００４１】
非常用電源である蓄電池５および点灯ユニット６は、シャーシ１ａ内の第２の反射体３ｂの背面下方に位置して収納設置されている。
【００４２】
蓄電池５は、ニッケルカドニウム（Ｎｉ―Ｃｄ）蓄電池で構成され、電池ケース５ａに収納される。ニッケルカドニウム蓄電池は、１セットで１２Ｖ、２５００ｍＡｈの電源を供給可能であり、本実施形態では、このニッケルカドニウム蓄電池を２セット直列に接続して構成している。
【００４３】
点灯ユニット６には、商用電源１０、蓄電池５、第２のランプ２ｂ、第２の安定器４ｂが接続され、商用電源が供給されているかを常に検知している。そして、通常時には、商用電源１０から第２の安定器４ｂに電源が供給され第２のランプ２ｂを安定点灯させ、蓄電池５にも商用電源が供給され充電される。停電時などによって、商用電源が供給されないときには、点灯ユニット６は、第２の安定器４ｂに蓄電池５から電力を供給するように切替えている。
【００４４】
さらに、上記のように構成された照明器具の電気結線は、図４に示すように、防水コネクター１ｇを介して器具本体１内に導入された商用電源線１０に、一方の第１のランプ２ａが第１の安定器４ａを介して接続される。
【００４５】
他方の非常用のランプを兼ねる第２のランプ２ｂは点灯ユニット６を経由し第２の安定器４ｂを介して商用電源線１０に接続され、点灯ユニット６に蓄電池５が接続されている。
【００４６】
なお、図示しないが各配線は電源端子台、中継端子台等を介して配線され、また各第１、第２のランプ２ａ、２ｂの配線系統には電源遮断用スイッチが配置されて接続されている。
【００４７】
また、点灯ユニット６には蓄電池５の充電状態、交換時期等を表示する充電モニターが接続され、器具本体１の外部から視認できるように設置されている。
【００４８】
上記のように構成された照明器具は、トンネル内の天井面または側壁面の上方に、器具本体１の長手方向、すなわち各第１、第２のランプ２ａ、２ｂの管状部２ｃ、２ｃが道路の車両進行方向に沿うように等間隔に複数台設置され、トンネル内、主として道路の路面を照明するように設置される。
【００４９】
次に、上記のように構成されトンネル内に設置された照明器具の作動につき説明する。
【００５０】
まず、商用電源で照明器具が作動する通常時は、商用電源線１０から第１の安定器４ａを介して第１のランプ２ａが点灯され、同時に商用電源線１０から第２の安定器４ｂに電源が供給され第２のランプ２ｂを安定点灯させ、蓄電池５にも商用電源が供給され充電される。これによりトンネル内の主として路面を適宜照明する。
【００５１】
次に、停電時などで商用電源が遮断された場合、点灯ユニット６に内蔵されている検知器により、商用電源が遮断された状態を検知して自動的に第２の安定器４ｂに蓄電池５から電力を供給するように切り替え、非常用ランプを兼ねる器具本体１下方の第２のランプ２ｂが非常時動作時間（約１０分）以上点灯する。
【００５２】
この際、通常時では２灯の第１、第２のランプ２ａ、２ｂが点灯し所定の明るさで照明を行っているが、停電時には第１のランプ２ａは消灯し、非常用ランプを兼ねる第２のランプ２ｂの１灯のみが点灯する。
【００５３】
しかし、上記のように第２のランプ２ｂに対向して設けられている第２の反射体３ｂは、その開口部３ｂｃの開口面積を他方の第１の反射体３ａの開口部３ａｃの面積に比し大となし、第２の反射体３ｂの反射面３ｂｄの面積を第１の反射体３ａの反射面３ａｄの面積に比し大となるように構成して、第２の反射体３ｂで反射される光線の量が多くなるようにしているので、明るさを従来のように通常時の１／２に落とさずに、約３／５程度の明るさを確保してトンネル内の照明を行うことができる。
【００５４】
停電が復帰すれば、点灯ユニット６の検知器が商用電源の復帰状態を検知して、上述したと同様に２灯の第１のランプ２ａ、第２のランプ２ｂが商用電源により点灯され所定の照明を行う。同時に商用電源により点灯ユニット６に内蔵された充電装置により蓄電池５の充電を行い、その充電状態を充電モニターで表示する。
【００５５】
また、ランプの交換等の修理、点検の際には、器具本体１の２個のラッチ１ｄを外し、蓋体１ｂを開放して行う。
【００５６】
以上本実施形態では、停電時に使用される第２の反射体３ｂの反射面３ｂｄの面積を第１の反射体３ａの反射面３ａｄの面積に比し大となるように構成して光学性能を高めるようにしたが、開口部を含めた第２の反射体３ｂの外形寸法は、他の第１の反射体３ａと同様に構成し、反射体の材質として例えばガラスを採用し、その表面に高度な鏡面加工を施して反射率を高めた反射体を構成するようにしもよい。
【００５７】
さらに、各第１、第２の反射体３ａ、３ｂの反射面３ａｄ、３ｂｄの面積は同一とし、第２の反射体３ｂの反射面３ｂｄにおける凹弧面の曲率を大きくし、開口部３ｂｃの開口面積を第１の反射体３ａの開口部３ａｃの面積に比して大きくなるように形成し、第２の反射体３ｂの反射面３ｂｄの反射率を高めて光学性能を大きくするように構成してもよい。
【００５８】
また、各第１、第２の反射体３ａ、３ｂの反射面３ａｄ、３ｂｄの長手方向横断面がなす形状は、凹弧面に限らず、凹状であれば平面の組み合わせ、または曲面と平面の組み合わせ等どのような形状であってもよい。
【００５９】
また、本実施形態において、ランプを３灯設け、非常時に２灯を２個の蓄電池によりそれぞれ点灯させ、電池点灯される２灯のランプのうち、１灯若しくは２灯の反射体の光学性能を大きくして点灯させ、停電時等に所定の明るさを得るようにしてもよい。
【００６０】
この際、蓄電池は１個とし、停電時に点灯される２灯のランプのうち、いずれか一方のランプのみを点灯させるようにしても、さらに停電時に点灯される２灯のランプを停電時点灯の際、交互に切り替えて点灯させ、ランプ寿命の平準化を図るようにしてもよい。
【００６１】
本実施形態は、非常灯付のトンネル用照明器具として構成したが、道路、公園等の屋外、さらには体育館、イベントホール等の屋内用照明器具として構成してもよい。
【００６２】
本実施形態によれば、反射体の開口部の大きさ大きくしたり、反射面にボス加工施したりして反射体の面積を大きくし、または反射体の材質を変えて高度な鏡面加工を施したり、反射面の曲率を大きくしたりして反射体の反射率を大きくする等の比較的簡易な構成で、蓄電池により点灯される第２のランプの反射体を、他の第１のランプの反射体より大なる光学性能を有するように構成することができ、蓄電池による点灯時の明るさを高めることが可能な照明器具を提供することができる。
【００６３】
以上、本発明の好適な実施形態を説明したが、本発明は上述の実施形態に限定されることなく、本発明の要旨を逸脱しない範囲内において、種々の設計変更を行うことができる。
【図面の簡単な説明】
【００６４】
【図１】本発明の第一の実施形態に係るトンネル用照明器具の一部を切り欠いて示す正面図。
【図２】同じく図１のＡ―Ａ線に沿う縦断面図。
【図３】同じく反射体の変形例を一部を切除して示す斜視図。
【図４】同じく電気回路を概略的に示す説明図。
【符号の説明】
【００６５】
１    器具本体
２ａ  第１の光源
２ｂ  第２の光源
３ａ  第１の反射体
３ｂ  第２の反射体
５    蓄電池
【図１】
2005327618.tif 000003
【図２】
2005327618.tif 000004
【図３】
2005327618.tif 000005
【図４】
2005327618.tif 000006